(57)【要約】      （修正有）【課題】集塵ボックスを備える分設濾筒型除塵器を提供する。【解決手段】除塵器本体１の底部に底部フレームがはんだ付け接続され、除塵器本体１における底部フレーム寄り側の一側に滑り路が固定接続されており、滑り路の内部に第１集塵ボックス４および第２集塵ボックス５が滑動可能に接続され、第２集塵ボックス５における除塵器本体１寄り側の一側にバッフルが滑動可能に接続され、滑り路における第１集塵ボックス４寄り側の一側に第１Ｕ型棒１０が固定接続され、滑り路３における第２集塵ボックス５寄り側の一側に第２Ｕ型棒１１が固定接続され、第１Ｕ型棒１０における第１集塵ボックス４寄り側の一側に第１滑り溝１２が開設され、第２Ｕ型棒１１における第２集塵ボックス５寄り側の一側に第２滑り溝１３が開設され、第１集塵ボックス４の底部に第１止めブロック１４が固定接続され、第２集塵ボックス５の底部に第２止めブロック１５が固定接続されている。【選択図】図３
0003229718.tif 000002
【実用新案登録請求の範囲】
【請求項１】
除塵器本体１を含み、前記除塵器本体１の底部に底部フレーム２がはんだ付け接続され、
前記除塵器本体１における底部フレーム２寄り側の一側に滑り路３が固定接続されており
、
前記滑り路３の内部に第１集塵ボックス４および第２集塵ボックス５が滑動可能に接続さ
れ、前記第２集塵ボックス５における除塵器本体１寄り側の一側にバッフル６が滑動可能
に接続され、前記バッフル６の一側にハンドル７が固定接続され、前記バッフル６の底部
に案内ロッド８が固定接続され、前記案内ロッド８における第２集塵ボックス５寄り側の
一端に位置限定ブロック９が固定接続されており、
前記滑り路３における第１集塵ボックス４寄り側の一側に第１Ｕ型棒１０が固定接続され
、前記滑り路３における第２集塵ボックス５寄り側の一側に第２Ｕ型棒１１が固定接続さ
れ、前記第１Ｕ型棒１０における第１集塵ボックス４寄り側の一側に第１滑り溝１２が開
設され、前記第２Ｕ型棒１１における第２集塵ボックス５寄り側の一側に第２滑り溝１３
が開設され、前記第１集塵ボックス４の底部に第１止めブロック１４が固定接続され、前
記第２集塵ボックス５の底部に第２止めブロック１５が固定接続されている、
ことを特徴とする集塵ボックスを備える分設濾筒型除塵器。
【請求項２】
前記滑り路３と第１集塵ボックス４とが嵌合可能であり、前記滑り路３と第２集塵ボック
ス５とが嵌合可能であることを特徴とする請求項１に記載の集塵ボックスを備える分設濾
筒型除塵器。
【請求項３】
前記第１集塵ボックス４は一側が開口されるボックスとし、前記第２集塵ボックス５は一
側が開口されるボックスとし、かつ前記バッフル６の大きさと第２集塵ボックス５の開口
側の大きさとが一致することを特徴とする請求項１に記載の集塵ボックスを備える分設濾
筒型除塵器。
【請求項４】
前記第２集塵ボックス５と案内ロッド８とが滑動可能に接続され、前記位置限定ブロック
９の形状が案内ロッド８の形状より大きくすることを特徴とする請求項１に記載の集塵ボ
ックスを備える分設濾筒型除塵器。
【請求項５】
前記第１止めブロック１４の形状と第１滑り溝１２の形状とが嵌合可能であり、前記第２
止めブロック１５の形状と第２滑り溝１３の形状とが嵌合可能であることを特徴とする請
求項１に記載の集塵ボックスを備える分設濾筒型除塵器。
【請求項６】
前記底部フレーム２の内部における第１集塵ボックス４寄り側の一側にローラ１６が回転
可能に接続され、前記底部フレーム２の一側に２つの締合ロッド１７が螺接されているこ
とを特徴とする請求項１に記載の集塵ボックスを備える分設濾筒型除塵器。
【請求項７】
前記ローラ１６は底部フレーム２の内部に位置し、前記ローラ１６の数は複数個とするこ
とを特徴とする請求項６に記載の集塵ボックスを備える分設濾筒型除塵器。
【考案の詳細な説明】
【技術分野】
【０００１】
本実用新案は、除塵器の技術分野に関するもので、特に、集塵ボックスを備える分設濾筒
型除塵器に関する。
【従来の技術】
【０００２】
除塵器は、粉塵を煙から分離する機械である。集塵器は機械、医薬、食品などの各種業界
に応用される。構造や機能によって集塵器は様々な種類が分けられる。その中で、分設濾
筒型（濾過フィルターを分解可能型）集塵器は、広範囲で使用されるものである。分設濾
筒型集塵器は、濾筒をフィルター素子とするか、またはパルススプレーを採用する集塵器
である。有効の濾過面積が大きく、低圧力差、低排出、小体積、長寿命などの特徴がある
。分設濾筒型集塵器の構成では、進気管、排気管、ボックス本体、集塵ホッパー、除塵ユ
ニット、濾筒（フィルター）などを含み、エアボックスパルスバッグ（Ａｉｒ  ｂｏｘ  
ｐｕｌｓｅ  ｂａｇ）除塵構造に類似するものである。この分設濾筒型集塵器は、集塵ホ
ッパーの下に設ける集塵ボックスが、主に除塵で分離した顆粒物や粉塵を貯蓄するために
備えられ、一定量まで灰を積もったら処分清潔を行う。
【０００３】
従来の分設濾筒型除塵器は、集塵ボックスを清潔する場合に機器を停止しなければ清潔が
できないので、工作効率を低下する。
【考案の概要】
【０００４】
上記の問題を解決するために、本実用新案は、以下の集塵ボックスを備える分設濾筒型除
塵器を提供する。
除塵器本体１を含み、前記除塵器本体１の底部に底部フレーム２がはんだ付け接続され、
前記除塵器本体１における底部フレーム２寄り側の一側に滑り路３が固定接続されており
、前記滑り路３の内部に第１集塵ボックス４および第２集塵ボックス５が滑動可能に接続
され、前記第２集塵ボックス５における除塵器本体１寄り側の一側にバッフル６が滑動可
能に接続され、前記バッフル６の一側にハンドル７が固定接続され、前記バッフル６の底
部に案内ロッド８が固定接続され、前記案内ロッド８における第２集塵ボックス５寄り側
の一端に位置限定ブロック９が固定接続されており、前記滑り路３における第１集塵ボッ
クス４寄り側の一側に第１Ｕ型棒１０が固定接続され、前記滑り路３における第２集塵ボ
ックス５寄り側の一側に第２Ｕ型棒１１が固定接続され、前記第１Ｕ型棒１０における第
１集塵ボックス４寄り側の一側に第１滑り溝１２が開設され、前記第２Ｕ型棒１１におけ
る第２集塵ボックス５寄り側の一側に第２滑り溝１３が開設され、前記第１集塵ボックス
４の底部に第１止めブロック１４が固定接続され、前記第２集塵ボックス５の底部に第２
止めブロック１５が固定接続されている、集塵ボックスを備える分設濾筒型除塵器である
。
好ましくは、前記滑り路３と第１集塵ボックス４とが嵌合可能であり、前記滑り路３と
第２集塵ボックス５とが嵌合可能である。
好ましくは、前記第１集塵ボックス４は一側が開口されるボックスとし、前記第２集塵
ボックス５は一側が開口されるボックスとし、かつ前記バッフル６の大きさと第２集塵ボ
ックス５の開口側の大きさとが一致する。
好ましくは、前記第２集塵ボックス５と案内ロッド８とが滑動可能に接続され、前記位
置限定ブロック９の形状が案内ロッド８の形状より大きくする。
好ましくは、前記第１止めブロック１４の形状と第１滑り溝１２の形状とが嵌合可能で
あり、前記第２止めブロック１５の形状と第２滑り溝１３の形状とが嵌合可能である。
好ましくは、前記底部フレーム２の内部における第１集塵ボックス４寄り側の一側にロ
ーラ１６が回転可能に接続され、前記底部フレーム２の一側に２つの締合ロッド１７が螺
接されている
好ましくは、前記ローラ１６は底部フレーム２の内部に位置し、前記ローラ１６の数は
複数個とする。
【０００５】
本実用新案の集塵ボックスを備える分設濾筒型除塵器は、以下の利点を有する。
該分設濾筒除塵器、滑り路の内部に第１集塵ボックスおよび第２集塵ボックスが滑動可能
に接続され、そしてバッフル、ハンドル、案内ロッドと位置限定ブロックの間の関連設置
で、ハンドルによりバッフルを押し込んで、２つの締合ロッドを緩ませて、第２集塵ボッ
クス側に第１集塵ボックスを押することにより、第２集塵ボックスを取出して、そして締
合ロッドを締合状態に回転して、集塵ボックスを清潔処理する。２つの集塵ボックスによ
って集塵灰の貯蓄量を増加することで、除塵器自身の工作と同時に、集塵灰の清潔を行う
ことができるので、工作効率を向上し、従来の集塵灰清潔のときに除塵器自身を停止しな
ければならないという欠陥を克服することができる。
【図面の簡単な説明】
【０００６】
【図１】本実用新案の第１視角の構成模式図。
【図２】本実用新案の第２視角の構成模式図。
【図３】本実用新案の底部フレームを除いた構成模式図。
【図４】本実用新案の第２集塵ボックスの構成模式図。
【図５】本実用新案の案内ロッドの構成模式図。
【考案を実施するための形態】
【０００７】
以下、図面とともに、本実施形態を説明する。
図１〜図５に示されるよに、本集塵ボックスを備える分設濾筒型除塵器は、除塵器本体１
を含み、除塵器本体１の底部に底部フレーム２がはんだ付け接続されている。これによっ
て、主体を支持する。除塵器本体１における底部フレーム２寄り側の一側に滑り路３が固
定接続されている。滑り路３の内部に第１集塵ボックス４および第２集塵ボックス５が滑
動可能に接続され、第２集塵ボックス５における除塵器本体１寄り側の一側にバッフル６
が滑動可能に接続されている。引き出す時は塵灰の露出を防止する。バッフル６の一側に
ハンドル７が固定接続され、バッフル６の底部に案内ロッド８が固定接続されている。こ
れによって案内機能を発揮する。案内ロッド８における第２集塵ボックス５寄り側の一端
に位置限定ブロック９が固定接続されている。ハンドル７によりバッフル６を押し込んで
、２つの締合ロッド７を緩ませて、第２集塵ボックス５側に第１集塵ボックス４を押する
ことにより、第２集塵ボックス５を取出して、そして締合ロッド１７を締合状態に回転し
て、集塵ボックスを清潔処理する。２つの集塵ボックスによって集塵灰の貯蓄量を増加す
ることで、除塵器本体１の工作と同時に、集塵灰の清潔を行うことができるので、工作効
率を向上し、従来の集塵灰清潔のときに除塵器自身を停止しなければならないという欠陥
を克服することができる。滑り路３における第１集塵ボックス４寄り側の一側に第１Ｕ型
棒１０が固定接続され、滑り路３における第２集塵ボックス５寄り側の一側に第２Ｕ型棒
１１が固定接続され、第１Ｕ型棒１０における第１集塵ボックス４寄り側の一側に第１滑
り溝１２が開設され、第２Ｕ型棒１１における第２集塵ボックス５寄り側の一側に第２滑
り溝１３が開設され、第１集塵ボックス４の底部に第１止めブロック１４が固定接続され
ている。これによって、集塵ボックスの位置を制限する。第２集塵ボックス５の底部に第
２止めブロック１５が固定接続されている。
【０００８】
一実施形態として、滑り路３と第１集塵ボックス４とが嵌合可能であり、滑り路３与第２
集塵ボックス５とが嵌合可能である。これによって、集塵ボックスを容易に滑動させるこ
とができる。
【０００９】
一実施形態として、第１集塵ボックス４は一側に開口されるボックスとし、第２集塵ボッ
クス５は一側に開口されるボックスとする。バッフル６の大きさと第２集塵ボックス５の
開口側の大きさとが一致する。
【００１０】
一実施形態として、第２集塵ボックス５と案内ロッド８とが滑動接続され、位置限定ブロ
ック９の形状が案内ロッド８の形状より大きくする。これによってバッフル６の位置を限
定する。このため、バッフル６を半ストロークだけに引き出し得る。
【００１１】
一実施形態として、第１止めブロック１４の形状と第１滑り溝１２の形状とが嵌合可能で
あり、第２止めブロック１５の形状と第２滑り溝１３の形状とが嵌合可能である。これに
よって、引き出す時は邪魔とならなく、押す時は一緒に押出されることを防止する。
【００１２】
一実施形態として、底部フレーム２の内部における第１集塵ボックス４寄り側の一側にロ
ーラ１６が回転可能に接続されるので、集塵ボックスを容易に引き出すことができる。ま
た底部フレーム２の一側に２つの締合ロッド１７がネジ接続されるので、集塵ボックスを
締合することができる。
【００１３】
一実施形態として、ローラ１６が底部フレーム２の内部に位置し、ローラ１６の数が複数
個とする。
【００１４】
本実用新案の動作について説明する。ハンドル７を押してバッフル６を押し込んで、２つ
の締合ロッド１７を緩ませて、第２集塵ボックス５側に第１集塵ボックス４を押すること
により、第２集塵ボックス５を取出して、そして締合ロッド１７を締合状態に回転して、
集塵ボックスを清潔処理する。
【００１５】
以上によれば、本分設濾筒除塵器は、滑り路３の内部に第１集塵ボックス４および第２集
塵ボックス５が滑動可能に接続され、そしてバッフル６、ハンドル７、案内ロッド８と位
置限定ブロック９の間の関連設置で、ハンドル７によりバッフル６を押し込んで、２つの
締合ロッド７を緩ませて、第２集塵ボックス５側に第１集塵ボックス４を押することによ
り、第２集塵ボックス５を取出して、そして締合ロッド１７を締合状態に回転して、集塵
ボックスを清潔処理する。２つの集塵ボックスによって集塵灰の貯蓄量を増加することで
、除塵器本体１の工作と同時に、集塵灰の清潔を行うことができるので、工作効率を向上
し、従来の集塵灰清潔のときに除塵器自身を停止しなければならないという欠陥を克服す
ることができる。
【００１６】
述べたものは、本考案の実施形態だけであり、前記の具体のな実施形態は、普通技術者は
本考案の原理と精神の範疇内において、各種の変形及び修正、置換、変形を行うことがで
きる。本実用新案の保護範囲は、実用新案登録請求の範囲及びその均等物である。
【符号の説明】
【００１７】
１    除塵器本体
２    底部フレーム
３    滑り路
４    第１集塵ボックス
５    第２集塵ボックス
６    バッフル
７    ハンドル
８    案内ロッド
９    位置限定ブロック
１０    第１Ｕ型棒
１１    第２Ｕ型棒
１２    第１滑り溝
１３    第２滑り溝
１４    第１止めブロック
１５    第２止めブロック
１６    ローラ
１７    締合ロッド
【図１】
0003229718.tif 000003
【図２】
0003229718.tif 000004
【図３】
0003229718.tif 000005
【図４】
0003229718.tif 000006
【図５】
0003229718.tif 000007